(57)【要約】【課題】  電子メールのテキストデータを画像データとともに印刷とする等の印刷処理を可能とする。【解決手段】  携帯電話２００は、記録媒体に記録される画像データと個人情報との対応付けを管理する管理手段と、個人情報を含む文書データを外部装置から受信する文書データ受信手段と、前記文書データ受信手段により受信した文書データから任意の文書データを指定する文書データ指定手段と、前記文書データ指定手段により指定された文書データに含まれる個人情報に対応する画像データを、前記管理手段から判定する判定手段と、前記判定手段により判定された画像データ及び前記文書データ指定手段により指定された文書データを含む印刷用データを生成する印刷用データ生成手段と、前記印刷用データ生成手段により生成される前記印刷用データを印刷装置に対して送信する印刷用データ送信手段とを有する。【選択図】  図１
2006014181.tif 000002
【特許請求の範囲】
【請求項１】
記録媒体に記録される画像データと個人情報との対応付けを管理する管理手段と、
個人情報を含む文書データを外部装置から受信する文書データ受信手段と、
前記文書データ受信手段により受信した文書データから任意の文書データを指定する文書データ指定手段と、
前記文書データ指定手段により指定された文書データに含まれる個人情報に対応する画像データを、前記管理手段から判定する判定手段と、
前記判定手段により判定された画像データ及び前記文書データ指定手段により指定された文書データを含む印刷用データを生成する印刷用データ生成手段と、
前記印刷用データ生成手段により生成される前記印刷用データを印刷装置に対して送信する印刷用データ送信手段とを有することを特徴とする通信装置。
【請求項２】
前記文書データは、電子メールのテキストデータであり、前記個人情報は、前記外部装置に割り当てられた電子メールアドレスであることを特徴とする請求項１に記載の通信装置。
【請求項３】
画像を撮影する撮影手段を更に有し、
前記画像データは、前記撮影手段の撮影処理により得られる画像データであることを特徴とする請求項１又は２に記載の通信装置。
【請求項４】
前記印刷用データ生成手段は、前記印刷用データとして、前記文書データ及び前記画像データをレイアウトした圧縮画像データを生成することを特徴とする請求項１乃至３の何れか１項に記載の通信装置。
【請求項５】
通信装置と印刷装置とが通信回線を介して接続される印刷システムであって、
前記通信装置は、
記録媒体に記録される画像データと個人情報との対応付けを管理する管理手段と、
個人情報を含む文書データを外部装置から受信する文書データ受信手段と、
前記文書データ受信手段により受信した文書データから任意の文書データを指定する文書データ指定手段と、
前記文書データ指定手段により指定された文書データに含まれる個人情報に対応する画像データを、前記管理手段から判定する判定手段と、
前記判定手段により判定された画像データ及び前記文書データ指定手段により指定された文書データを含む印刷用データを生成する印刷用データ生成手段と、
前記印刷用データ生成手段により生成される前記印刷用データを印刷装置に対して送信する印刷用データ送信手段とを有し、
前記印刷装置は、
前記通信装置から受信する前記印刷用データを所定の印刷用フォーマットに従って印刷処理することを特徴とする印刷システム。
【請求項６】
通信装置による印刷用データ生成方法であって、
個人情報を含む文書データを外部装置から受信する文書データ受信ステップと、
前記文書データ受信ステップにて受信した文書データから任意の文書データを指定する文書データ指定ステップと、
前記文書データ指定ステップにて指定された文書データに含まれる個人情報に対応する画像データを、記録媒体に記録される画像データと個人情報との対応付けを管理する管理手段から判定する判定ステップと、
前記判定ステップにて判定された画像データ及び前記文書データ指定ステップにて指定された文書データを含む印刷用データを生成する印刷用データ生成ステップと、
前記印刷用データ生成ステップにて生成される前記印刷用データを印刷装置に対して送信する印刷用データ送信ステップとを含むことを特徴とする印刷用データ生成方法。
【請求項７】
請求項６に記載の印刷用データ生成方法をコンピュータに実行させるためのプログラム。
【請求項８】
請求項７に記載のプログラムを記録したコンピュータ読み取り可能な記録媒体。
【発明の詳細な説明】
【技術分野】
【０００１】
本発明は、例えば、携帯電話が受信した電子メールを画像データとともに印刷可能とする通信装置、印刷システム及び印刷用データ生成方法に関するものである。
【背景技術】
【０００２】
携帯電話や携帯情報端末装置などからのメールなどの、所謂テキストの印刷は、ＩｒＤＡなどの赤外線通信やＵＳＢインタフェースを介して印刷装置であるプリンタと接続することにより印刷する手法が、既に利用されているが、これら携帯端末の処理能力が小さいために、印刷のための種々の画像処理を実行することが厳しく、テキスト文書の印刷程度しかできず、あくまでもメモ程度の印刷しかできなかった。
【０００３】
また、最近では、撮像機能を有する、所謂ＣＣＤ小型カメラを内蔵する携帯電話や携帯情報端末装置が市販されるようになってきている。このカメラ内蔵携帯端末装置の普及により、カメラで撮影した画像データをメールなどに添付してインターネット回線網を経由して、特定のユーザに送信したりできるサービスも開始されている。
【０００４】
しかしながら、受信したメールの内容を読むことや印刷することはできても添付されている画像データは、携帯端末装置の表示器での画像表示をすることしかできず、単に見て楽しむだけしかできなかった。更には、撮影した写真データを携帯端末の個人情報に関連づけることも可能となってきている。すなわち、撮影した個人の写真を携帯端末の登録データである電話帳のメールアドレスに対応させて記憶登録しておけるようになった。
【０００５】
また、赤外線通信を利用して、メールデータ等を印刷することができるものも市販されてきているが、依然としてテキストメールの印刷のみであり、印刷結果も図１０に示すように文字の印刷だけで、決して見やすいものではなく、味気のないメール文書になってしまい印刷してメールを残すという程の興味を引き起こすまでには至っていない。
【０００６】
また、内蔵カメラを搭載しているにもかかわらず撮影した個人の写真を携帯端末の登録データである電話帳のメールアドレスに対応させて記憶登録しても、この情報を利用してもっとわかりやすい楽しくなるようなメールを印刷することもできない。
【０００７】
また、最新の携帯端末装置では、外部記憶装置としてのメモリカードを搭載できるものもあり、メモリカードに画像データを格納し、パーソナルコンピュータなどの装置により読みとり、画像処理をして印刷装置に印刷することも可能となってきている。しかしながら、これはあくまでもメモリカードに格納されている画像データの印刷をＰＣを利用して印刷するのみであり、メールを印刷するときには添付されている画像データは利用できないと言う不便さがあった。
【０００８】
また、従来、データ通信回線網（インターネット）への接続機能を有する携帯電話等の通信装置や、画像を撮像する撮像装置を内蔵したデジタルカメラ付き携帯電話などの通信装置或いは、インターネットへの接続機能を有するパーソナル情報携帯装置（ＰＤＡ）などでのメールの送受信では、携帯端末が印刷機能をサポートしていないのが殆どのケースであり、メール文書を読むのが一般的であり、印刷物として残しておくことができなかった。印刷しようとすると、通信装置や携帯装置の記憶メモリにインターネットから取得したメール情報を一時記憶しておき、パーソナルコンピュータ（ＰＣ）と個々にケーブル接続し、一時記憶された情報をケーブルを経由してＰＣに送信し、ＰＣ上での画像処理、ドキュメント処理を実行して、ＰＣとのインタフェースを有するプリンタ出力装置に印刷する方式や、通信装置や携帯装置に搭載されているインターネット接続機能を使用してダイレクトにＰＣ上に情報を取得（ダウンロード）し、印刷処理をＰＣにて実行した後、接続されているプリンタに印刷する方式が一般的である。
【０００９】
しかしながら、この場合は、携帯電話等の通信装置や、ＰＤＡ等からの情報を印刷するためには、プリンタと接続されるＰＣに通信装置や携帯装置に一時的に保存されている情報を一度送る必要がある。このために、ＵＳＢなどのケーブルで端末とＰＣを接続し、更には、携等端末からの情報を読み込むためのアプリケーションをＰＣ上で起動させる必要がある。
【００１０】
また、常にケーブル接続しておくことも可能ではあるが、使用上の不便さ、煩わしさが感じられ、携帯端末の本来の携帯性を損なうという問題があった。また小型携帯という性質から画像やドキュメントを格納できるメモリサイズにも制限があり、インターネットから取得した印刷情報を携帯端末の内部メモリに記憶保存しておくことも限界があり難しいという問題もある。
【００１１】
図９は、従来の携帯端末メール印刷システムの一構成例を示す図である。図９の従来例は、インターネットへの接続機能を有するパーソナル情報携帯装置であるＰＤＡ７０３を所定の接続ケーブル７０５、例えばＵＳＢケーブルなどにて、ノートＰＣ７０１（以下、ＰＣ）と接続し、ＰＣ７０１と出力機器であるプリンタ７００を同様に所定の接続ケーブル７０２、例えばＵＳＢケーブルにて接続するようにした一般的なＰＣ７０１用のプリントシステム構成である。更には、ＰＣ７０１上で動作する専用のメールの読み込みソフトウェアを実装する必要がある。ＰＣ７０１に実装されている専用のソフトウェアの制御の基に、ユーザは、ＰＤＡ７０３の記憶部である内部メモリ或いは、ＰＤＡ７０３に搭載されているメモリカードのメールデータをＰＣ７０１上に読み込み、メールリストをＰＣ７０１の表示器７０６に一覧として表示する。表示されたメールリストの一覧の中からユーザは、所望の情報を選択し、ＰＣ７０１上にて処理ソフトウェアの制御の基、ＰＣ７０１に接続されたプリンタ７００に所望の情報を出力することが出来る。
【００１２】
また、同様にインターネットへの接続機能を有する携帯電話等の通信装置７０４からの印刷時は、ＰＤＡからの印刷と同様に所定の接続ケーブル７０７、例えば、ＵＳＢケーブルなどにて、ＰＣ７０１と接続し、ＰＣ７０１と出力機器であるプリンタ７００を同様に所定の接続ケーブル７０２、例えばＵＳＢケーブルにて接続するようにした一般的なＰＣ７０１用のプリントシステムの構成である。
【００１３】
更には、前述のＰＤＡとの接続の従来例と同様に、ＰＣ７０１上で動作する専用のメールの読み込みソフトウェアを実装する必要がある。ＰＣ７０１に実装されている専用のソフトウェアの制御の基に、ユーザは、通信装置７０４の記憶部である内部メモリ或いは、通信装置７０４に搭載されているメモリカードのメールデータをＰＣ７０１上に読み込み、表示器７０６に表示することになる。専用のソフトウェアは、メールの一覧を表示する機能を有しているのが一般的で、結果としてすべてのメールデータをＰＣ７０１の表示器７０６に一覧として表示する。表示されたメール一覧から所望のメールを選択し、処理ソフトウェアの制御の基、ＰＣ７０１に接続されたプリンタ７００にメールを出力することが出来る。
【００１４】
【特許文献１】特開２００１−２５１４０８号公報
【発明の開示】
【発明が解決しようとする課題】
【００１５】
しかしながら、受信したメールの内容を読むことや印刷することはできても添付されている画像データは、携帯端末装置の表示器での画像表示をすることしかできず、単に見て楽しむだけしかできなかった。また、最新の携帯端末装置では、外部記憶装置としてのメモリカードを搭載できるものもあり、メモリカードに画像データを格納し、パーソナルコンピュータ（ＰＣ）などの装置により読みとり、画像処理をして印刷装置に印刷することも可能となってきている。しかしながら、これはあくまでもメモリカードに格納されている画像データの印刷をＰＣを利用して印刷するのみであり、メールを印刷するときには添付されている画像データは利用できないと言う不便さがあった。
【００１６】
この様な従来の印刷方法では、携帯電話等の通信装置や、ＰＤＡ等のメールを印刷するためには、プリンタと接続されるＰＣに情報を一度送る必要があり、ＵＳＢなどのケーブルで携帯電話やＰＤＡなどの携帯端末とＰＣを接続し、更には、携帯端末からの情報を読み込むためのアプリケーションを起動させる必要があった。また、近年、これら携帯端末をＩｒＤＡなどの無線通信機能を搭載するプリンタと無線接続して印刷することも可能となってきているが、無線通信での取り扱える形態、たとえば、ＩｒＤＡの無線通信の場合は、ＩｒＭＣ（Ir Mobile Communication）のプロトコル（通信規約）があり、扱える方式がテキストの送受信を規定するｖMessage、 住所録の送受信を規定するｖAddress、などが予め決まっており、これらの規定では、基本的にテキスト文書の送受信すなわち、印刷しかできないのが現状である。
【００１７】
更には、近年、携帯端末に搭載されている内蔵カメラを利用して写真を撮ることも可能となり、撮影した写真データを携帯端末の個人情報に関連づけることも可能となってきている。すなわち、撮影した個人の写真を携帯端末の登録データである電話帳のメールアドレスに対応させて記憶登録しておけるようになった。また、赤外線通信を利用して、メールデータ等を印刷することができるものも市販されてきているが、依然としてテキストメールの印刷のみであり、印刷結果も図１０に示すように文字の印刷だけで、決して見やすいものではなく、味気のないメール文書になってしまい印刷して残すという意識にもならず、また、内蔵カメラを搭載しているにもかかわらず撮影した個人の写真を携帯端末の登録データである電話帳のメールアドレスに対応させて記憶登録しても、この情報を利用してもっとわかりやすい楽しくなるようなメールを印刷することもできない。
【００１８】
そこで、本発明の目的は、電子メールのテキストデータを画像データとともに印刷とする等の印刷処理を可能とすることにある。
【課題を解決するための手段】
【００１９】
本発明の通信装置は、記録媒体に記録される画像データと個人情報との対応付けを管理する管理手段と、個人情報を含む文書データを外部装置から受信する文書データ受信手段と、前記文書データ受信手段により受信した文書データから任意の文書データを指定する文書データ指定手段と、前記文書データ指定手段により指定された文書データに含まれる個人情報に対応する画像データを、前記管理手段から判定する判定手段と、前記判定手段により判定された画像データ及び前記文書データ指定手段により指定された文書データを含む印刷用データを生成する印刷用データ生成手段と、前記印刷用データ生成手段により生成される前記印刷用データを印刷装置に対して送信する印刷用データ送信手段とを有することを特徴とする。
【００２０】
本発明の印刷システムは、通信装置と印刷装置とが通信回線を介して接続される印刷システムであって、前記通信装置は、記録媒体に記録される画像データと個人情報との対応付けを管理する管理手段と、個人情報を含む文書データを外部装置から受信する文書データ受信手段と、前記文書データ受信手段により受信した文書データから任意の文書データを指定する文書データ指定手段と、前記文書データ指定手段により指定された文書データに含まれる個人情報に対応する画像データを、前記管理手段から判定する判定手段と、前記判定手段により判定された画像データ及び前記文書データ指定手段により指定された文書データを含む印刷用データを生成する印刷用データ生成手段と、前記印刷用データ生成手段により生成される前記印刷用データを印刷装置に対して送信する印刷用データ送信手段とを有し、前記印刷装置は、前記通信装置から受信する前記印刷用データを所定の印刷用フォーマットに従って印刷処理することを特徴とする。
【００２１】
本発明の印刷用データ生成方法は、通信装置による印刷用データ生成方法であって、個人情報を含む文書データを外部装置から受信する文書データ受信ステップと、前記文書データ受信ステップにて受信した文書データから任意の文書データを指定する文書データ指定ステップと、前記文書データ指定ステップにて指定された文書データに含まれる個人情報に対応する画像データを、記録媒体に記録される画像データと個人情報との対応付けを管理する管理手段から判定する判定ステップと、前記判定ステップにて判定された画像データ及び前記文書データ指定ステップにて指定された文書データを含む印刷用データを生成する印刷用データ生成ステップと、前記印刷用データ生成ステップにて生成される前記印刷用データを印刷装置に対して送信する印刷用データ送信ステップとを含むことを特徴とする。
【００２２】
本発明のプログラムは、前記印刷用データ生成方法をコンピュータに実行させることを特徴とする。
【００２３】
本発明のコンピュータ読み取り可能な記録媒体は、前記プログラムを記録したことを特徴とする。
【発明の効果】
【００２４】
本発明によれば、記録媒体に記録される画像データと外部から受信した文書データと合成した印刷用データを生成し、印刷装置に対して送信するように構成したので、例えば、前記文書データとして電子メールのテキストデータに適用した場合、そのテキストデータを画像データとともに印刷出力するメール印刷が可能となる。
【発明を実施するための最良の形態】
【００２５】
以下、本発明を適用した好適な実施形態を、添付図面を参照しながら詳細に説明する。
【００２６】
図１は、本発明の一実施形態に係る携帯端末メール印刷システム全体の概略構成を示すブロック図である。図１において、１００は、印刷装置（以下、プリンタと称す）、２００は、携帯端末装置（以下、携帯電話と称す）、３００は、携帯端末装置であるＰＤＡ、７０８は、データ通信回線網であるインターネットであり、７０９は、インターネット７０８に接続されているメールサーバである。
【００２７】
プリンタ１００は、図２のプリンタ１００の構成図に示す通信部１０３及び赤外線通信モジュール１１１を介し、携帯電話２００は、図３に示す携帯電話２００の構成図に示す通信部２０８及び赤外線通信モジュール２０９を介し、ＰＤＡ３００は、図４に示すＰＤＡ３００の構成図に示す通信部３０８及び赤外線通信モジュール３０９を介し、それぞれが無線通信にて相互にコマンド、画像データを含むデータの送受信を可能としている。
【００２８】
また、プリンタ１００、携帯電話２００及びＰＤＡ３００間の無線通信は、ＩｒＤＡ等の赤外線通信方式により行われているため、通信部１０３、２０８及び３０８は、前述のＩｒＤＡなどの通信規約（以下、プロトコルと称す）に則った無線通信により送受信出来る必要がある。データ通信を実行する双方の通信部１０３、２０８及び３０８は、ＩｒＤＡ等の所定のプロトコルを搭載しておく必要があるのは、言うまでもない。なお、ＩｒＤＡは、赤外線を利用した通信技術であり、双方の通信部１０３、２０８及び３０８は、赤外線の受光／発光部である必要がある。
【００２９】
一方、携帯電話２００は、通信部２０６及びアンテナ２０７を介して、データ通信回線網であるインターネット７０８に接続され、ＰＤＡ３００は、モデムカードやEthernet（登録商標）カードなどで構成される通信部３１１を介してインターネット７０８に接続されている。
【００３０】
図２は、プリンタ１００の詳細構成を示すブロック図である。図２において、１０１は、プリンタエンジンであって、プリントヘッド、プリントヘッド搬送機構、印刷用紙の搬送機構及びその駆動モータ等を装備したものである。
【００３１】
１０２は、プリンタ１００の全体を制御するプリンタ制御部であり、プリンタエンジン１０１を駆動制御したり、コネクタ１０５に装着された半導体メモリやハードディスクなどから構成されるメモリカードの画像データを読出し、画像処理部１０９や画像伸張部１１０でプリンタ１００にて印刷可能なデータ形式に変換を司るプリンタ制御部であり、マイクロコントローラ（ＣＰＵ）や専用回路（ＡＳＩＣ）等で構成されている。
【００３２】
１０８は、プリンタ制御部１０２の動作用の定数、変数、プログラムが格納されているプログラムメモリであって、リードオンリーメモリ（ＲＯＭ）で構成され、プリンタ制御部１０２、通信部１０３、インタフェース制御部１０４、画像処理部１０９、画像伸張部１１０等の制御プログラム、及び、図６に示すような印刷用の予め決められた印刷フォーマットデータ、ＩｒＤＡ等のプロトコルのソフトウェア等が格納されている。
【００３３】
１０３は、通信部で、ＩｒＤＡ等の赤外線通信等の各種近距離データ通信機能を有する。１１１は、通信部１０３によりプリンタ１００を他の機器と接続するためのＩｒＤＡ用の赤外線送受信モジュールである。
【００３４】
１０４は、コネクタ１０５に装着されるホストなどとのデータなどの送受信のためのインタフェース制御部である。
【００３５】
１０５は、ホストとのインタフェースコネクタであり、一般的には、業界団体で統一規格化されたセントロニクスやＵＳＢコネクタが使用される。
【００３６】
１０６は、プリンタ１００の操作部であり、プリンタ１００の電源スイッチや状態表示用のＬＥＤ等で構成される。
【００３７】
１０７は、プリンタ制御部１０２のＣＰＵが動作するときの作業用メモリや一時記憶部として使用する記憶部であり、ランダムアクセスメモリ（ＲＡＭ）である。
【００３８】
１０９は、画像処理部であって、携帯端末から受信した写真やロゴなどの画像データは、光学系の３原色である赤、緑、青のいわゆるＲＧＢの色空間データで表現され、また画像サイズを少なくするためにｊｐｇなどの所定のフォーマットで圧縮されているのが一般的であるが、インクジェットプリンタなどのプリンタでは、光学系の３原色とは異なり黄、マジェンダ、シアンのいわゆるＹ、Ｍ、Ｃの色空間データで表現される。従って、プリンタにて印刷できるように、画像処理部１０９にてＲＧＢの色空間データをＹＭＣ色空間データに変換する。
【００３９】
１１０は、画像伸張部であり、例えば、Joint Photographic Experts Group画像(ＪＰＧ)の解凍処理部であり、デジタルスチルカメラなどで一般的に使用されている画像圧縮のファイルフォーマットであるＪＰＧファイルをビットイメージに戻し、プリンタ１００にて印刷可能なデータ形式に変換する。本実施形態では、ＪＰＧ画像で説明するが、ＪＰＧ形式以外の画像ファイルに適用可能であることは言うまでもない。
【００４０】
１１２は、不図示の交流電源或は、バッテリなどの直流電源からシステム電源を生成する電源部である。
【００４１】
図３は、携帯電話２００である携帯電話の詳細を示すブロック構成図である。図３において、２０１は、携帯電話２００全体を制御する通信システム制御部であり、２０５は、通信システム制御部２０１の制御用プログラムや動作用の各種定数、変数、画像表示制御、及びＩｒＤＡ等の通信規約(プロトコル)のソフトウェア等が格納されているリードオンリーメモリ（ＲＯＭ）、或いは、通信回線番号等を記憶するための電気的に消去／再書き込みができる不揮発性のメモリ(Flash ROM)などで構成されている。
【００４２】
また、２０４は、ＣＰＵ及び専用回路から構成される通信システム制御部の作業用メモリや、マイク２１２で入力した音声、及び／又は、プリンタ１００に送信するデータなどを格納するためのメモリでありランダムアクセスメモリなどで構成されている。また、ＲＡＭ２０４の記憶容量は、所定時間の音声及び或は、所定枚数の画像データを含むメールなどを格納するに十分な記憶容量を備えている。
【００４３】
２０２は、通信システム制御部２０１でのプログラムの実行に応じて、ＲＡＭ２０４に格納されたデータや操作部２０３からの操作指示情報で動作状況やメッセージなどを表示する表示部であり、液晶表示器（ＬＣＤ）などにて構成される。
【００４４】
２０３は、通信システム制御部２０１の各種動作指示を入力するための操作部であり、スイッチやダイヤル、タッチパネル、ポインティングデバイスなどの単一、或いは複数の組み合わせにて構成される。
【００４５】
操作部２０３によれば、携帯電話２００の電源の接／断、通話の実行／停止、電話番号の入力／選択、通信モードの切替え、機能の選択等の操作を行うことが出来る。
【００４６】
２０６は、通信部であり、ＴＤＭＡ、ＣＤＭＡ、Ｗ−ＣＤＭＡ等の各種遠距離無線通信機能を有する。２０７は、通信部２０６により携帯電話２００を他の通信装置及び／又は通信基地と回線接続するアンテナである。
【００４７】
２０８は、通信部であり、IｒＤＡ等の赤外線通信等の各種近距離無線データ通信機能を有する。２０９は、通信部２０８により携帯電話２００を他の近距離データ通信装置と接続する赤外線通信モジュールである。
【００４８】
２１２は、音声を電気信号に変換するマイク、２１０は、マイク２１２のアナログ電気信号をデジタル信号に変換するＡ／Ｄ変換部である。
【００４９】
２１１は、デジタル信号をアナログ信号に変換するＤ／Ａ変換部、２１３はアナログ電気信号を音声信号に変換するスピーカである。通信システム制御部２０１の制御の基、メモリ２０４から読み出されたデジタルデータがＤ／Ａ変換部２１１に入力される。Ｄ／Ａ変換部２１１にて変換されたデジタルデータは、アナログデータ、即ち音声データとしてスピーカ２１３に出力される。
【００５０】
２１４は、電源部であり、ＤＣ−ＤＣコンバータ等で構成され、バッテリなどのＤＣ電源入力からシステムの電源を生成する。２１５は、携帯電話２００に内蔵されている小型ＣＣＤカメラ２１６の画像処理部である。
【００５１】
図４は、ＰＤＡ３００の詳細構成を示すブロック図である。図４において、３０１は、ＰＤＡ３００全体を制御するマイクロプロセッサであり、ＲＯＭ３０５に格納されているプログラムに従って、システム制御部３０２に指示をする。
【００５２】
３０２は、システム制御部であり、ＣＰＵ３０１の指示の基にＰＤＡ３００の全ての制御を司る、専用回路で構成される制御部であり、記憶装置３０７とのデータの書き込み、読み出しや表示部３０６に表示データを送信したりする。またタッチパネル操作部３０３からのキー指示データの読み込みや通信部３０８とのデータの送受信などの制御もすることになる。
【００５３】
３０３は、システム制御部３０２の各種動作指示を入力するための操作部であり、タッチパネルにて構成される。操作部３０３によれば、ＰＤＡ３００の電源の接／断、通話の実行／停止、電話番号の入力／選択、通信モードの切替え、機能の選択等の操作を行うことが出来る。
【００５４】
３０４は、ＣＰＵ３０１及び専用回路から構成されるシステム制御部の作業用メモリや、プリンタ１００から送信された動作状態情報などを格納するためのメモリでありＲＡＭなどで構成されている。
【００５５】
３０５は、システム制御部３０２の制御用プログラム、システムの起動用の制御プログラムやＩｒＤＡ等のプロトコルのソフトウェア等や動作用の各種定数、変数等が格納されている。ＲＯＭ、或いは、電気的に消去／再書き込みができる不揮発性のメモリ(Flash ROM)などで構成されている。
【００５６】
３０６は、システム制御部３０２でのプログラムの実行に応じて、ＲＡＭ３０４に格納されたデータや操作部３０３からの操作指示情報で動作状況やメッセージなどを表示する表示部であり、液晶表示器（ＬＣＤ）などにて構成される。
【００５７】
３０７は、記憶装置であり、一時的にデータを記憶したり、或いは、アプリケーションソフトウェアを記憶しておくための記憶装置である。また、接続先プリンタの切替えを指示するなどの印刷制御プログラムの他、通信装置と送受信したデータを格納したりするためにも使用されるものであり、メモリカードタイプのマイクロハードディスク装置やメモリカードなどで構成される。ＲＯＭ３０５に格納されているシステム制御プログラムを格納することも可能である。
【００５８】
３０８は、通信部であり、IｒＤＡ等の赤外線通信等の各種近距離無線データ通信機能を有する。３０９は、通信部３０８によりＰＤＡ３００を他の近距離データ通信装置と接続する赤外線通信モジュールである。
【００５９】
３１０は、電源部であり、ＰＤＡ３００の各部が必要とするシステム電源を生成する回路で、バッテリ電源入力からシステムの電源を生成する。
【００６０】
３１１は、インターネットなどへのデータ通信回線網７０８に接続するための通信部であり、電話回線網を使用する場合は、モデムカード装置を使用する。また、データ通信回線網に直接接続する場合は、一般的に10/100Base-TといわれるEthernet（登録商標）カードアダプタを使用する。３１２は、ＰＤＡ３００に内蔵されている小型ＣＣＤカメラ３１３の画像処理部である。
【００６１】
図５は、一般的に、メール本文に記述してあるところの、いわゆるメールヘッダの部分の一例を示す図である。メールヘッダ４００には、メール本文のインターネット経由のルートや、送信者のメールアドレス、宛先のメールアドレス、送信日時、などの情報が記述されている。この記述内容を見れば、メールがどのようなルートを経由して届いたかが判る。
【００６２】
４０１は、メールヘッダの中での送信者のメールアドレスの記述の例である。アドレスの中の文字「＠」以下の文字列が、いわゆるドメイン名と言われるもので、送信者が属しているインターネットのグループ名を示す。
【００６３】
図６は、本実施形態のプリンタ１００にて携帯端末からの受信メールを印刷した一例である。６００は、メールヘッダ部分を除いたメール本文を印刷した部分であり、送信者、宛先、件名、送信日時、本文などである。
【００６４】
６０１は、予めプリンタ１００に印刷フォーマットとして記憶内蔵されている印刷情報であって、受信した印刷データにロゴデータが含まれていた場合、ロゴを印刷するための領域である。同様に、６０２は、写真データが含まれていた場合、写真を印刷する領域である。
【００６５】
以下、図２乃至図８を用いて、携帯電話２００をプリンタ１００に接続し、インターネット７０８を経由して取得したメールのプリントの動作の詳細を説明する。尚、ＰＤＡ３００からのメールのプリントの動作も同様であるため詳細な説明は省略する。
【００６６】
図３において、ユーザは、キー操作部２０３からキー入力をすることによって、ＲＯＭ２０５に格納されている不図示のアプリケーションソフトウェアであるインターネットメール（メーラ）を起動させる。メーラは、通信システム制御部２０１の制御の基に、通信部２０６及びアンテナ２０７を介して、インターネット７０８に接続する。
【００６７】
携帯電話２００がインターネット７０８に接続されるとメーラは、インターネット７０８上に存在するメールサーバ７０９のメールボックスにアクセスし、自分宛のメールを受信し表示部２０２であるＬＣＤ表示器に表示し、ユーザからの次の指示を待つことになる。
【００６８】
メールは、図５に示す一例のようにヘッダといわれるメールの到達経由ルート、送信者のメールアドレス、宛先のメールアドレス、日付などを記述した部分とメール本文のテキスト文書から構成されている。
【００６９】
携帯電話２００上のメールは、このように構成されるメールをインターネット７０８からアンテナ２０７及び通信部２０６を介して取得（ダウンロード）し、ＲＡＭ２０４或いは、電気的に書き込み可能なＲＯＭ２０５に格納する。
【００７０】
一方、携帯電話２００のユーザは、内蔵されている小型ＣＣＤカメラ２１６を利用して、操作部２０３を操作し、友人や顧客などの写真やロゴなどを撮影する。撮影されたデータは、画像処理部２１５を経由して、一般的にｊｐｇファイルとして、ＲＯＭ２０５に格納されているソフトウェアの制御の基、ＲＯＭ２０５に通信システム制御部２０１の指示に従い記憶しておく。
【００７１】
さらに、ユーザは、携帯電話２００に内蔵されている電話帳のメールアドレス等を登録する時に、図７に示すように、登録する個人情報のメールアドレスと関連づけて、記憶済みの写真データやロゴデータの有無、記憶データの格納メモリアドレスをテーブルとして作成記憶しておく。例えば、図７において、電話帳に登録されているのメールアドレス５０１の各々に関して、関連づける写真データ５０２の有無を、例えば、有の場合、「１」、無の場合「０」といった内容で記憶する。同様に、関連づけるロゴデータ５０３の有無を、「１」、「０」で記憶する。
【００７２】
また、そのときに、関連づけた写真データ６０２やロゴデータ６０１のＲＯＭ２０５で格納されている先頭アドレスを記憶しておく。ここで、内蔵ＣＣＤカメラ２１６の解像度が固定のため、撮影した画像データのメモリサイズは、一義的に固定サイズとして扱えるために、記憶データの終了アドレスを記憶しておく必要はない。写真データやロゴデータの解像度を変更できるようにした場合は、解像度の変更に従って、記憶データの終了アドレスを変更できるようにすることも、終了アドレスを記憶するようにすれば、可能であることは言うまでもない。
【００７３】
また、この説明では、携帯電話２００に内蔵されている小型ＣＣＤカメラ２１６で撮影した写真やロゴデータを記憶するようにしているが、メールの取得と同様に、通信部２０６、アンテナ２０７などを経由して、インターネット７０８に接続して、インターネット７０８に存在する情報発信サーバ、いわゆるＷｅｂサーバから画像データを取得し記憶しておくことで利用しても良い。
【００７４】
図７の一例で説明すれば、最初の項目は、電話帳の佐藤氏のメールアドレスの関連付けを示す。すなわち、メールアドレス「 HYPERLINK "mailto:sato@docomo.ne.jp" sato@abc.ne.jp」に対して、写真データ有無の項目が「０」であるので、写真データは、ＲＯＭ２０５に存在しないが、ロゴデータ有無の項目が「１」であるので、佐藤氏が所属する会社のロゴデータが、ＲＯＭ２０５に記憶されていることを示し、その格納メモリアドレスは、ＲＯＭ２０５のアドレス0000から所定のサイズ分格納されていることを示すものである。
【００７５】
このような状況で、前述したように、ユーザがＲＡＭ２０４或いは、電気的に書き込み可能なＲＯＭ２０５に格納されたメールをプリンタ１００に送信するとＲＯＭ２０５に格納されているソフトウェアは、通信システム制御部２０１の制御の基に、次のような手順でプリンタ１００に送信するメール印刷用のデータを作成し、通信部２０８、赤外線モジュール２０９を経由してプリンタ１００に送信する。
【００７６】
先ず、通信システム制御部２０１は、ユーザの操作部２０３からの指示に基づき、ＲＡＭ２０４或いは、電気的に書き込み可能なＲＯＭ２０５に格納されているメールを読み出す。このとき、ユーザはＲＡＭ２０４等に記録されるメールのうちから任意のメールを指定することが可能である。続いて、通信システム制御部２０１は、読み出したメールの中から図５に示すようなメールヘッダ４００を抽出し、メール送信者のメールアドレス４０１の部分を検索抽出する。
【００７７】
次に、例えば、抽出したメールアドレス４０１が「 HYPERLINK "mailto:suzuki@xyz.co.jp" suzuki@xyz.co.jp」であったとすると、通信システム制御部２０１は、ＲＯＭ２０５に記憶されている図７のアドレステーブルのメールアドレス５０１の項目を順次検索していく。検索結果として、「 HYPERLINK "mailto:suzuki@xyz.co.jp" suzuki@xyz.co.jp」のメールアドレス５０１の項目のところで一致することになる。そこで、通信システム制御部２０１は、メールアドレス「 HYPERLINK "mailto:suzuki@xyz.co.jp" suzuki@xyz.co.jp」に対応するところの写真データ有無５０２、ロゴデータ５０３を調べる。この場合、両データともに有無の判定は、「１」であるために、データがＲＯＭ２０５に記憶されていることになるので、写真データメモリアドレス５０４である「1000」とロゴデータメモリアドレス５０５である「0200」をＲＯＭ２０５から読みだし、一時的にＲＡＭ２０４に格納しておく。
【００７８】
ここで、通信システム制御部２０１は、検索抽出した結果に基づき、前述のＲＡＭ２０４或いは、電気的に書き込み可能なＲＯＭ２０５に格納されているメールと写真データやロゴデータとを合体させて印刷用のデータを作成する。すなわち、先ず、ＲＡＭ２０４或いは、電気的に書き込み可能なＲＯＭ２０５に格納されているメールのヘッダ４００を削除し、図８に示すように、識別用のデータであるStart ID５０６、Content Type５０７、END ID５０９と合成してメールデータ部を作成する。つまり、先ずメールの送信開始識別データであるStart ID５０６である文字列「BEGIN:VMSG」と、送信データの種別を示すContent Type５０７である文字列「Text/Plain」と、内容を示すContent５０８であるところのテキストメール本文と、メールデータ部の終了を示すEND ID５０９である文字列「END:VMSG」を一連のデータとしてＲＡＭ２０４に作成する。
【００７９】
次に、前述の検索結果で一時的にＲＡＭ２０４に格納された写真データメモリアドレス５０４であるアドレス1000番地から順次写真データをＲＯＭ２０５から読み出し、メール部データの作成と同様に写真データの送信識別データであるStart ID５１０である文字列「BEGIN:PHOTO」と、写真データが存在することを示すPhoto Data５１１である文字列「YES」と、送信Photoデータのファイル種類を示すPhoto Type５１２である文字列「JPG」と、PhotoデータであるContent５１３を示すJpgファイルと、写真データ部の終了を示すEND ID５１４である文字列「END PHOTO」を一連のデータとしてＲＡＭ２０４に作成する。
【００８０】
また、同様に、前述の検索結果で一時的にＲＡＭ２０４に格納されたロゴデータメモリアドレス５０５であるアドレス0200番地から順次ロゴデータをＲＯＭ２０５から読み出し、写真データの作成と同様にロゴデータの送信識別データであるStart ID５１５である文字列「BEGIN:LOGO」と、ロゴデータが存在することを示すLogo Data５１６である文字列「YES」と、送信Logoデータのファイル種類を示すLogo Type５１７である文字列「JPG」と、LogoデータであるContent５１８を示すJpgファイルと、Logoデータ部の終了を示すEND ID５１９である文字列「END OGO」を一連のデータとしてＲＡＭ２０４に作成する。
【００８１】
以上のデータ作成が終了すると通信システム制御部２０１は、通信部２０８を経由して順次メールデータ部、写真データ部、Logoデータ部の印刷用データを赤外線通信モジュールを経由してプリンタ１００に送信する。ここでは、ＩｒＤＡなどの赤外線通信にて印刷データを送信する場合で説明しているが、インタフェースの種別に依存するものではなく、Bluetoothなどの他の無線通信手段でも同様のことが可能であり、またＵＳＢケーブルなどで接続しても同様であることは言うまでもない。
【００８２】
このようにして、携帯電話２００やＰＤＡ３００から送信されたメール印刷データを受信したプリンタ１００では、以下の様な動作をする。
【００８３】
まず、図２において、プリンタ１００の操作部１０６の電源スイッチを押下することにより電源の接続をすると、ＲＯＭ１０８に格納されているプログラムの制御の基にプリンタ制御部１０２は、操作部１０６のＬＥＤの表示やプリンタ１００のプリンタエンジン１０１およびＲＡＭ１０７等の初期化を実行する。即ちワークＲＡＭのクリアやプリンタエンジン１０１のプリントヘッドなどの機構を初期位置へ戻す。
【００８４】
次に、ＲＯＭ１０８に格納されている通信部１０３の制御に関する変数等、例えば、通信部１０３との通信速度（ボーレイト）等をＲＡＭ１０７に設定したり、または、通信部１０３へ送り通信部１０３の初期設定を実行する。
【００８５】
この後、プリンタ１００は、通信待機状態になり携帯電話２００やＰＤＡ３００からの印刷指示待ち状態となる。この状態でも、プリンタ１００が通常装備している不図示のＵＳＢやセントロニクスなどのインタフェースを介して入力されるケーブル接続された不図示のホストからのデータを受信し、印刷できることは言うまでもない。
【００８６】
プリンタ１００では、受信したメールデータを印刷するために、プリンタ制御部１０２は、一時的に受信格納されたメールデータ部、写真データ部、Logoデータ部から構成される印刷用データをＲＡＭ１０７から読みだし、メールデータ部から本文を切り出すために、Start ID５０６である「BEGIN:VMSG」の文字列を検索し、その語に続くContent Type５０７を調べて、文字列「Text/Pain」からテキストであることを判別して、続くメール内容であるContent５０８を切り出し、ＲＡＭ１０７のプリントバッファに一時的に格納しておく。
【００８７】
同様に、写真データ部から写真データを切り出すために、Start ID５１０である「BEGIN:PHOTO」の文字列を検索し、その語に続くPhoto Data５１１を調べて、文字列「YES」から写真データが送信されてきていると判別して、続くPhoto Type５１２の文字列「JPG」から、受信写真データが、ｊｐｇファイルと判断し、写真データであるContent５１３のsuzuki.jpgを切り出し、ＲＡＭ１０７のプリントバッファに一時的に格納しておく。本実施形態の場合は、図６に示すような鈴木氏の顔写真であるjpgファイルを格納する。
【００８８】
また、ロゴデータ部に関しても同様に、ロゴデータ部からロゴデータを切り出すために、Start ID５１５である「BEGIN:LOGO」の文字列を検索し、その語に続くLogo Data５１６を調べて、文字列「YES」からＬｏｇｏデータが送信されてきていると判別して、続くLogo Type５１７の文字列「JPG」から、受信ロゴデータが、ｊｐｇファイルと判断し、ロゴデータであるContent５１８を切り出し、ＲＡＭ１０７のプリントバッファに一時的に格納しておく。同様に、図６に示すような佐藤氏の所属会社である会社のロゴであるｊｐｇファイルを格納することになる。
【００８９】
以上のようにして、切り出したテキストメール、写真、ロゴを印刷するわけだが、ここで、プリンタ制御部１０２は、プリンタエンジン１０１が印刷できように前記各データを変換する必要がある。
【００９０】
本実施形態のプリンタは、インクジェットプリンタなどに代表されるシリアルデータ転送型のプリンタであるために、切り出したデータの形式、すなわちテキスト文書、ｊｐｇファイル形式では、文字化けなどが発生したり、ｊｐｇファイルなどで代表される写真などにて取り扱う色空間（ＲＧＢ）が、インクジェットプリンタなどの採用している色空間（ＹＭＣＫ）と異なるために、色味が異なってくるという問題もあり、単純にそのまま印刷できないのである。
【００９１】
そこで、プリンタ制御部１０２は、先ずメールのテキスト文書に関して、次のような変換をすることになる。すなわち、メール文書の内容そのものは、１バイト、もしくは２バイトで表記されるコードのために、ＲＯＭ１０８に格納されている文字変換テーブル（フォントテーブル）を用いて、テキストコードをビットイメージのデータに展開していく。すべてのテキストメール文書をビットイメージ、いわゆるラスターデータに変換し、ＲＡＭ１０７に一時格納する。
【００９２】
次に、写真データであるｊｐｇファイルを画像伸張部１１０に出力する。画像伸張部１１０では、圧縮されている画像データ（suzuki.jpg）を伸張しプリンタ１００で印刷できる様に色空間変換するために画像処理部１０９に出力する。画像処理部１０９では、入力された伸張画像データを色変換、例えば、ＲＧＢからＹＭＣＫへの色変換を実行し、変換後のデータを印刷データとしてＲＡＭ１０７に格納する。即ち、画像伸張部１１０にて、ＪＰＧ画像データをビットイメージに変換し、かつ画像処理部１０９にて、変換されたＲＧＢデータをインクジェットプリンタ１００の扱えるＹＭＣＫデータに変換する。この変換をすることにより、初めて光学系の３原色データを色の４原色として扱える様になり印刷が可能となる。
【００９３】
同様に、ロゴデータであるｊｐｇファイルを画像伸張部１１０に出力する。画像伸張部１１０では、圧縮されている画像データ（suzuki.jpg）を伸張しプリンタ１００で印刷できる様に色空間変換するために画像処理部１０９に出力する。画像処理部１０９では、入力された伸張画像データを色変換、例えば、ＲＧＢからＹＭＣＫへの色変換を実行し、変換後のデータを印刷データとしてＲＡＭ１０７に格納する。
【００９４】
プリンタ制御部１０２は、ＲＡＭ１０７に格納された各変換された印刷データを読み出すと同時に、図６に示すような、ＲＯＭ１０８に予め記憶されている規定の印刷用フォーマットを読み出し、フォーマットに従い、各々の変換データを対応する印刷領域に割り当て、プリンタエンジン１０１に出力して印刷をする。
【００９５】
以上の説明は、ＩｒＤＡ等の近距離無線データ通信で説明してきたが、この他の無線データ通信方式や双方向通信機能を有する有線の通信方式に適用できることは、言うまでもない。また、画像のデータ形式としてｊｐｇで説明してきたが、それ以外のgifなどでもプリンタに画処理部を搭載すれば可能であることは言うまでもなく、ｊｐｇに限ったことではない。
【００９６】
また、他の実施形態として、ＣＰＵ３０１の制御のもと、携帯電話側にて、メールの文字データ及び、画像やロゴ等をＲＡＭ２０４に展開後に画像処理部３１２がJPEG等のフォーマットに再圧縮し、これをプリントすべき画像データとしてプリンタに送信するようにする。画像データを送信する前、もしくは送信中には、画像処理部３１２で生成したデータをサイド展開して液晶表示装置等のディスプレイに表示するのが良い。
【００９７】
プリンタ側では、この画像データを展開し、プリントすればよい。このような実装方法は、プリンタ側に圧縮画像データを展開する機能がある場合に有効である。しかもプリンタ側においては、レイアウト処理などの手間が省けるだけでなく、複数の画像データを通信する必要もなくなるので、通信時間の削減にもなる。さらに、プリンタには、文字コードを認識してプリントするために、なんらかのフォントデータを持つ必要もなくなるので、携帯電話の持つ文字データを有効に利用して、プリンタの構成を簡単にすることにも役立つ。
【００９８】
また、画像処理部３１２で生成したデータをサイド展開して液晶表示装置等のディスプレイに表示することで、実際のレイアウト状態を確認できるだけでなく、プリンタでのレイアウトミスが発生しても、そのまま印刷してしまうと言う不都合を防止することが出来る。
【００９９】
以上のように、本実施形態によれば、インターネットへの接続機能を有する携帯電話２００或いはＰＤＡ３００などの携帯端末をＰＣなどを介せずに、ケーブルや無線通信などにより直接プリンタ１００と接続し、また、内蔵のカメラにて取得した電話帳登録者の写真や、ロゴなどの画像情報を電話帳と関連づける様に予め登録しておき、メールのヘッダからメールの送信者情報を読み出し、前記登録してある電話帳の情報と比較することにより、写真データやロゴデータが登録してあれば、メールの本文であるテキスト文書と写真やロゴなどの画像データとを合成して、プリンタ１００に送信するようにすることが可能である。一方、合成データを受信したプリンタ１００では、メール本文のテキスト文書と写真やロゴなどの画像データを分離して、予めプリンタ１００に内蔵されている特定の印刷フォーマットに従って、写真、ロゴ、メール本文をレイアウトし直すことにより見やすく、楽しくなるようなメールを印刷することが可能となり、またメールに送信者の写真や会社などのロゴを印刷することから、誰からのメールかが一目でわかるようなメール印刷を可能とするものである。
【０１００】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０１０１】
この場合、記憶媒体から読み出されたプログラムコード自体が前述した実施形態の機能を実現することになり、プログラムコード自体及びそのプログラムコードを記憶した記憶媒体は本発明を構成することになる。
【０１０２】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１０３】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【０１０４】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【０１０５】
【図１】本発明の一実施形態に係る携帯端末メール印刷システム全体の概略構成を示すブロック図である。
【図２】プリンタの詳細構成を示すブロック図である。
【図３】携帯電話の詳細構成を示すブロック図である。
【図４】ＰＤＡの詳細構成を示すブロック図である。
【図５】メールヘッダ部分の一構成例を示す図である。
【図６】本発明の一実施形態に係る携帯端末メール印刷システムにおけるプリンタでの受信メールの印刷結果の一例を示す図である。
【図７】写真データやロゴデータのメールアドレスとの対応付けの一例を示す図である。
【図８】印刷用データのメールデータ部、写真データ部及びLogoデータ部の構成を示す図である。
【図９】従来の携帯端末メール印刷システムの一構成例を示す図である。
【図１０】従来の携帯端末メール印刷システムにより印刷結果の一例を示す図である。
【符号の説明】
【０１０６】
１００：プリンタ、１０１：プリンタエンジン、１０２：プリンタ制御部、１０３：通信部、１０４：インタフェース制御部、１０５：コネクタ、１０６：操作部、１０７：ランダムアクセスメモリ（ＲＡＭ）、１０８：リードオンリーメモリ（ＲＯＭ）、１０９：画像処理部、１１０：画像伸張部、１１１：赤外線通信モジュール、１１２：電源部、２００：携帯端末装置（携帯電話）、２０１：通信システム制御部、２０２：表示部、２０３：操作部、２０４：ランダムアクセスメモリ（ＲＡＭ）、２０５：リードオンリーメモリ（ＲＯＭ）、２０６：通信部、２０７：アンテナ、２０８：通信部、２０９：赤外線通信モジュール、２１０：アナログ・デジタル変換部、２１１：デジタル・アナログ変換部、２１２：マイク、２１３：スピーカ、２１４：電源部、２１５：カメラ画像処理部、２１６：小型ＣＣＤカメラ、３００：情報処理装置（ＰＤＡ）、３０１：マイクロプロセッサ（ＣＰＵ）、３０２：システム制御部、３０３：タッチパネル操作部、３０４：ランダムアクセスメモリ（ＲＡＭ）、３０５：リードオンリーメモリ（ＲＯＭ）、３０６：表示部（ＬＣＤ）、３０７：記憶装置、３０８：通信部、３０９：赤外線通信モジュール、３１０：電源部、３１１：通信部、３１２：カメラ画像処理部、３１３：小型ＣＣＤカメラ、４００：メールヘッダ部、４０１：送信者情報（送信アドレス）、５００：携帯端末のアドレステーブル、５０１：メールアドレス、５０２：写真データの有無フラグ、５０３：ロゴデータの有無フラグ、５０４：対応写真データのロケーションアドレス、５０５：対応ロゴデータのロケーションアドレス、５０６：送信印刷データの開始ＩＤ、５０７：送信データのファイルタイプ識別情報、５０８：データの内容、５０９：送信印刷データの終了ＩＤ、５１０：送信印刷写真の開始ＩＤ、５１１：写真データの有無フラグ、５１２：送信写真のデータファイル種別、５１３：写真データ（ｊｐｇファイル）、５１４：送信印刷写真データの終了、５１５：送信印刷ロゴの開始ＩＤ、５１６：ロゴデータの有無フラグ、５１７：送信ロゴのデータファイル種別、５１８：ロゴデータ（ｊｐｇファイル）、５１９：送信印刷ロゴデータの終了、６００：テキスト印刷領域、６０１：ロゴ印刷領域、６０２：写真印刷領域
【図１】
2006014181.tif 000003
【図２】
2006014181.tif 000004
【図３】
2006014181.tif 000005
【図４】
2006014181.tif 000006
【図５】
2006014181.tif 000007
【図６】
2006014181.tif 000008
【図７】
2006014181.tif 000009
【図８】
2006014181.tif 000010
【図９】
2006014181.tif 000011
【図１０】
2006014181.tif 000012